(57)【要約】【課題】取り付けや付け替えを容易に行うことができる無線信号受信機を実現する。【解決手段】受信部１０に配設される第１連結部材３１と、ブラケット部４０に配設される第２連結部材３２とを有し、受信部１０とブラケット部４０を接離可能に連結する連結部３０を備える無線信号受信機２００において、第１連結部材３１の内周面に形成されている雌ねじ部３１ａと、第２連結部材３２の外周面に形成されている雄ねじ部３２ａとが螺合する程度（ねじ込み度合い）を調整することによって、受信部１０とブラケット部４０の間の距離を映像表示装置Ｔの前後方向の厚みに応じて調整し、受信部１０とブラケット部４０とで映像表示装置Ｔを挟み込むように、無線信号受信機２００を映像表示装置Ｔに設置することとした。【選択図】図１
2007129611.tif 000002
【特許請求の範囲】
【請求項１】
映像表示装置において表示する映像に関する無線信号を受信する受信部と、
前記受信部と対向する位置に配され、前記受信部が受信した前記無線信号を前記映像表示装置に送出するためのクライアント機器が着脱自在に備えられるブラケット部と、
前記受信部に配設される第１連結部材と、前記ブラケット部に配設される第２連結部材と、を有し、前記受信部と前記ブラケット部とを接離可能に連結する連結部と、を備え、前記受信部を前記映像表示装置の前面側に配置させ、前記ブラケット部を前記映像表示装置の後面側に配置させるように、前記映像表示装置に掛け渡される無線信号受信機であって、
前記連結部の前記第１連結部材と前記第２連結部材は、前記第１連結部材と前記第２連結部材の何れか一方の内周面に形成されている雌ねじ部と、他方の外周面に形成されている雄ねじ部が、螺合するように備えられており、前記受信部と前記ブラケット部とが接離するように前記第１連結部材と前記第２連結部材の配置が切り替えられることにより、前記連結部の長さが前記映像表示装置の前後方向の厚みに応じて調整されることを特徴とする無線信号受信機。
【請求項２】
映像表示装置において表示する映像に関する無線信号を受信する受信部と、
前記受信部と対向する位置に配されるブラケット部と、
前記受信部と前記ブラケット部とを接離可能に連結する連結部と、を備え、
前記連結部の長さが前記映像表示装置の前後方向の厚みに応じて調整されて、前記受信部を前記映像表示装置の前面側に配置させ、前記ブラケット部を前記映像表示装置の後面側に配置させるように、前記映像表示装置に掛け渡されることを特徴とする無線信号受信機。
【請求項３】
前記連結部は、前記受信部に配設される第１連結部材と、前記ブラケット部に配設される第２連結部材と、を有し、
前記第１連結部材と前記第２連結部材は、前記受信部と前記ブラケット部とが接離する方向に移動することを特徴とする請求項２に記載の無線信号受信機。
【請求項４】
前記連結部は、前記受信部に配設される第１連結部材と、前記ブラケット部に配設される第２連結部材と、を有し、
前記第１連結部材と前記第２連結部材は、何れか一方の内周面に形成されている雌ねじ部と、他方の外周面に形成されている雄ねじ部が螺合するように備えられており、前記第１連結部材と前記第２連結部材は、前記受信部と前記ブラケット部とが接離する方向に移動することを特徴とする請求項２に記載の無線信号受信機。
【請求項５】
前記ブラケット部には、前記受信部が受信した前記無線信号を前記映像表示装置に送出するためのクライアント機器が着脱自在に備えられることを特徴とする請求項２〜４の何れか一項に記載の無線信号受信機。
【発明の詳細な説明】
【技術分野】
【０００１】
本発明は、無線信号受信機に関する。
【背景技術】
【０００２】
従来、テレビなどの映像表示装置と、ＤＶＤプレーヤなどの映像出力装置を離間して配置した際に、映像出力装置が再生した映像に関する信号を無線信号として出力し、映像表示装置側に設置されたレシーバ（無線信号受信機）を介してその無線信号を受信することによって、映像出力装置による再生映像を映像表示装置において表示することを可能にする無線伝送装置が知られている。
【０００３】
また、遠隔操作用のリモコンを壁面に取り付けるための取り付け板を、任意の厚みを有する壁に固定するために、その取り付け板の壁面固定用取付パイプにおける一方の取付パイプを他方の取付パイプに螺入するねじ込み度合いを調節することによって、その壁の厚みに応じた寸法に取付パイプを調整する技術が知られている（例えば、特許文献１参照。）。
【０００４】
また、表示ランプが備えられたブラケットにフランジ部と雄ねじ部を形成するとともに、雄ねじ部にナットを螺合することによって、任意の厚みを有するパネルに表示ランプをブラケット毎配設する技術が知られている（例えば、特許文献２参照。）。
【特許文献１】特開平１０−１６４６７５号公報
【特許文献２】特開平１０−３９７８７号公報
【発明の開示】
【発明が解決しようとする課題】
【０００５】
しかしながら、上記従来技術の無線伝送装置の場合、無線伝送装置のレシーバを、映像表示装置にネジ止めして固定したり、両面テープを貼付して固定したりすることによって設置するため、レシーバや無線伝送装置を他の映像表示装置に付け替えることが困難になることがあるという問題があった。
【０００６】
また、上記特許文献１において開示されている取り付け板の壁面固定用取付パイプに関する技術や、特許文献２において開示されている表示ランプ取り付け用のブラケットに関する技術によっては、前述の無線伝送装置における課題を解決することはできなかった。
【０００７】
本発明の目的は、取り付けや付け替えを容易に行うことができる無線信号受信機を提供することである。
【課題を解決するための手段】
【０００８】
以上の課題を解決するため、請求項１に記載の発明は、映像表示装置において表示する映像に関する無線信号を受信する受信部と、前記受信部と対向する位置に配され、前記受信部が受信した前記無線信号を前記映像表示装置に送出するためのクライアント機器が着脱自在に備えられるブラケット部と、前記受信部に配設される第１連結部材と、前記ブラケット部に配設される第２連結部材と、を有し、前記受信部と前記ブラケット部とを接離可能に連結する連結部と、を備え、前記受信部を前記映像表示装置の前面側に配置させ、前記ブラケット部を前記映像表示装置の後面側に配置させるように、前記映像表示装置に掛け渡される無線信号受信機であって、前記連結部の前記第１連結部材と前記第２連結部材は、前記第１連結部材と前記第２連結部材の何れか一方の内周面に形成されている雌ねじ部と、他方の外周面に形成されている雄ねじ部が、螺合するように備えられており、前記受信部と前記ブラケット部とが接離するように前記第１連結部材と前記第２連結部材の配置が切り替えられることにより、前記連結部の長さが前記映像表示装置の前後方向の厚みに応じて調整されることを特徴とする。
【０００９】
請求項２に記載の発明は、映像表示装置において表示する映像に関する無線信号を受信する受信部と、前記受信部と対向する位置に配されるブラケット部と、前記受信部と前記ブラケット部とを接離可能に連結する連結部と、を備える無線信号受信機であって、前記連結部の長さが前記映像表示装置の前後方向の厚みに応じて調整されて、前記受信部を前記映像表示装置の前面側に配置させ、前記ブラケット部を前記映像表示装置の後面側に配置させるように、前記映像表示装置に掛け渡されることを特徴とする。
【００１０】
請求項３に記載の発明は、請求項２に記載の無線信号受信機において、前記連結部は、前記受信部に配設される第１連結部材と、前記ブラケット部に配設される第２連結部材と、を有し、前記第１連結部材と前記第２連結部材は、前記受信部と前記ブラケット部とが接離する方向に移動することを特徴とする。
【００１１】
請求項４に記載の発明は、請求項２に記載の無線信号受信機において、前記連結部は、前記受信部に配設される第１連結部材と、前記ブラケット部に配設される第２連結部材と、を有し、前記第１連結部材と前記第２連結部材は、何れか一方の内周面に形成されている雌ねじ部と、他方の外周面に形成されている雄ねじ部が螺合するように備えられており、前記第１連結部材と前記第２連結部材は、前記受信部と前記ブラケット部とが接離する方向に移動することを特徴とする。
【００１２】
請求項５に記載の発明は、請求項２〜４の何れか一項に記載の無線信号受信機において、前記ブラケット部には、前記受信部が受信した前記無線信号を前記映像表示装置に送出するためのクライアント機器が着脱自在に備えられることを特徴とする。
【発明の効果】
【００１３】
請求項１に記載の発明によれば、受信部とブラケット部を接離可能に連結する連結部を備える無線信号受信機は、その連結部の長さを映像表示装置の前後方向の厚みに応じて調整することができる。そして、受信部を映像表示装置の前面側に配置させ、ブラケット部を映像表示装置の後面側に配置させるように、無線信号受信機を映像表示装置に掛け渡すように設置することによって、受信部とブラケット部とで映像表示装置をその厚み方向（前後方向）に挟み込むようにすることができる。
つまり、映像表示装置の厚みに応じて、受信部とブラケット部の間の距離に対応する連結部の長さを調整することによって、受信部とブラケット部とで映像表示装置を好適に挟み込み、安定して無線信号受信機を映像表示装置の上面などに掛け渡して設置することができる。
特に、無線信号受信機の連結部は、受信部に配設される第１連結部材と、ブラケット部に配設される第２連結部材とを有し、第１連結部材と第２連結部材の何れか一方の内周面に形成されている雌ねじ部と、他方の外周面に形成されている雄ねじ部が螺合するように備えられているので、第１連結部材と第２連結部材とが螺合する程度（ねじ込み度合い）を調整することによって、受信部とブラケット部とが接離する方向に第１連結部材と第２連結部材の配置を切り替えて連結部の長さを調整し、受信部とブラケット部の間の距離を映像表示装置の前後方向の厚みに応じて調整することができる。
【００１４】
よって、映像表示装置の厚みに応じて連結部の長さを調整することにより、無線信号受信機を様々な映像表示装置に容易に取り付けて設置することができるとともに、容易に取り外して他の映像表示装置に付け替えることができる。
【００１５】
また、無線信号受信機のブラケット部には、受信部が受信した無線信号を映像表示装置に送出するためのクライアント機器が着脱自在に備えられるので、無線信号受信機は、ブラケット部に装着されたクライアント機器を、映像表示装置の後面側に配置させることができる。
よって、無線信号受信機は、クライアント機器を映像表示装置の後面側に隠すように配置させることができるので、クライアント機器が映像表示装置の近傍の目障りな位置に載置されたり、クライアント機器が映像表示装置の前面側の表示画面を視認することを妨げたりすることを低減することができる。また、クライアント機器をブラケット部から取り外して、所望する位置に載置することもできる。
【００１６】
請求項２に記載の発明によれば、受信部とブラケット部を接離可能に連結する連結部を備える無線信号受信機は、その連結部の長さを映像表示装置の前後方向の厚みに応じて調整することができる。そして、受信部を映像表示装置の前面側に配置させ、ブラケット部を映像表示装置の後面側に配置させるように、無線信号受信機を映像表示装置に掛け渡すように設置することによって、受信部とブラケット部とで映像表示装置をその厚み方向（前後方向）に挟み込むようにすることができる。
つまり、映像表示装置の厚みに応じて、受信部とブラケット部の間の距離に対応する連結部の長さを調整することによって、受信部とブラケット部とで映像表示装置を好適に挟み込み、安定して無線信号受信機を映像表示装置の上面などに掛け渡して設置することができる。
よって、映像表示装置の厚みに応じて連結部の長さを調整することにより、無線信号受信機を様々な映像表示装置に容易に取り付けて設置することができるとともに、容易に取り外して他の映像表示装置に付け替えることができる。
【００１７】
請求項３に記載の発明によれば、請求項２に記載の発明と同様の効果が得られることは無論のこと、無線信号受信機の連結部は、受信部に配設される第１連結部材と、ブラケット部に配設される第２連結部材とを有し、第１連結部材と第２連結部材は、受信部とブラケット部とが接離する方向に移動することで互いの配置を切り替えることができるので、第１連結部材と第２連結部材の配置を切り替えて、連結部の長さを調整し、受信部とブラケット部の間の距離を映像表示装置の前後方向の厚みに応じて調整することができる。
よって、無線信号受信機を、様々な厚みの映像表示装置に容易に取り付けて設置することができるとともに、容易に取り外して異なる厚みの映像表示装置に付け替えることができる。
【００１８】
請求項４に記載の発明によれば、請求項２に記載の発明と同様の効果が得られることは無論のこと、無線信号受信機の連結部は、受信部に配設される第１連結部材と、ブラケット部に配設される第２連結部材とを有し、第１連結部材と第２連結部材の何れか一方の内周面に形成されている雌ねじ部と、他方の外周面に形成されている雄ねじ部が螺合するように備えられているので、第１連結部材と第２連結部材とが螺合する程度（ねじ込み度合い）を調整することによって、受信部とブラケット部とが接離する方向に第１連結部材と第２連結部材を移動させることにより配置を切り替えて連結部の長さを調整し、受信部とブラケット部の間の距離を映像表示装置の前後方向の厚みに応じて調整することができる。
よって、無線信号受信機を、様々な厚みの映像表示装置に容易に取り付けて設置することができるとともに、容易に取り外して異なる厚みの映像表示装置に付け替えることができる。
【００１９】
請求項５に記載の発明によれば、請求項２〜４の何れか一項に記載の発明と同様の効果が得られることは無論のこと、無線信号受信機のブラケット部には、受信部が受信した無線信号を映像表示装置に送出するためのクライアント機器が着脱自在に備えられるので、無線信号受信機は、ブラケット部に装着されたクライアント機器を、映像表示装置の後面側に配置させることができる。
つまり、クライアント機器を映像表示装置の後面側に隠すように配置させることができるので、クライアント機器が映像表示装置の近傍の目障りな位置に載置されたり、クライアント機器が映像表示装置の前面側の表示画面を視認することを妨げたりすることを低減することができる。
また、クライアント機器をブラケット部から取り外して、所望する位置に載置することもできる。
【発明を実施するための最良の形態】
【００２０】
以下、図面を参照して本発明に係る無線信号受信機の実施形態について説明する。
なお、無線信号受信機は、テレビなどの映像表示装置と離間して配置されている映像出力装置としての、例えば、ＤＶＤプレーヤが、ＤＶＤ（Digital Versatile Disk）を再生した映像や音声に関する再生信号を、ＤＶＤプレーヤにおける信号発信機から無線信号として出力したその無線信号を受信する機器である。
図１は無線信号受信機の斜視図であり、図２は無線信号受信機の上面図である。図３、図４は無線信号受信機の側面図である。
【００２１】
無線信号受信機２００は、図１から図４に示すように、ＬＣＤ（Liquid Crystal Display）やＰＤＰ（Plasma Display Panel）などの映像表示装置において表示する映像に関する無線信号を受信する受信部１０と、受信部１０と対向する位置に配されるブラケット部４０と、受信部１０とブラケット部４０とを接離可能に連結する連結部３０と、を備えている。
【００２２】
受信部１０は、前面に光透過性を有する窓部１１が設けられているケース体１２と、ケース体１２の内部に収容される基板１３に備えられている受光素子１４と、基板１３に接続されているケーブル１５等を備えている。
【００２３】
窓部１１は、無線信号である赤外線を透過することができる樹脂により形成されており、ケース体１２の前面の開口部に配設されている。
ケース体１２は、基板１３や受光素子１４の損傷を防ぐための筐体状のカバーである。
【００２４】
基板１３には、無線信号を受信して、その無線信号を映像表示装置に送出するために要する様々な電子部品が実装されている。
受光素子１４は、窓部１１に対応する基板１３上に実装されている、例えば、赤外線受光素子であり、窓部１１を通じて無線信号を受光（受信）する。
【００２５】
ケーブル１５は、その一端が基板１３の所定箇所に接続され、他端にコネクタ１５ａが設けられている。このコネクタ１５ａを後述するクライアント機器１の所定の接続端子に挿入することによって、受光部１０とクライアント機器１が接続される。そして、ケーブル１５は、受光素子１４が受光した無線信号をクライアント機器１を介して映像表示装置に向けて送出する。
なお、コネクタ１５ａとケーブル１５との接合部分は、比較的軟らかい樹脂などによって形成されており、クライアント機器１の取り付け位置などに若干の寸法誤差があった場合にも、コネクタ１５ａをクライアント機器１の接続端子に挿入しやすくなっている。
【００２６】
そして、受信部１０は、映像出力装置であるＤＶＤプレーヤが、映像表示装置において映像や音声を出力するためにＤＶＤを再生した再生信号を、ＤＶＤプレーヤにおける信号発信機から無線信号として出力した無線信号を受光素子１４によって受信して、その無線信号に基づく再生信号をケーブル１５や後述するクライアント機器１を介して、映像表示装置に送出する。
【００２７】
ブラケット部４０は、映像表示装置に設置される無線信号受信機２００を、映像表示装置の後面側で支える部材であり、受信部１０の後面側に対向するように、連結部３０を介して備えられている。
ブラケット部４０は、側面視略Ｌ字形状を呈する部材であり、このブラケット部４０のＬ字状の内側にクライアント機器１を載置することによって、ブラケット部４０は、クライアント機器１の底面側を下から支えて保持する。
なお、ケーブル１５は、ブラケット部４０の内側や側面に沿って備えられており、ブラケット部４０の所定の位置にコネクタ１５ａが配設されている。そして、クライアント機器１をブラケット部４０に載置することによって、ケーブル１５のコネクタ１５ａがクライアント機器１の接続端子に挿入されるようになっている。そして、ブラケット部４０は、クライアント機器１を着脱自在に保持している。
【００２８】
クライアント機器１は、ＤＶＤプレーヤにおける信号発信機から出力された無線信号を、再生信号に変換するデコーダなどを備えており、映像や音声に関する再生信号を映像表示装置に出力する機器である。なお、クライアント機器１と映像表示装置は、所定のケーブルなどを通じて接続されている。
そして、クライアント機器１から出力された再生信号に基づく映像や音声が、映像表示装置において表示され、出力される。
【００２９】
連結部３０は、受信部１０に配設されている第１連結部材３１と、ブラケット部４０に配設されている第２連結部材３２と、を有しており、第１連結部材３１の内周面に、第２連結部材３２の外周面が摺接するように、第１連結部材３１側に第２連結部材３２が入り込むように備えられている。
特に、第１連結部材３１の内周面には雌ねじ部３１ａ（図４参照）が形成され、第２連結部材３２の外周面には雄ねじ部３２ａ（図４参照）が形成されており、第１連結部材３１の雌ねじ部３１ａと、第２連結部材３２の雄ねじ部３２ａが螺合するように、第１連結部材３１と第２連結部材３２が連結されて連結部３０を成している。
なお、第１連結部材３１と第２連結部材３２は、ともに筒状の部材であり、図２中、右側の連結部３０（第１連結部材３１、第２連結部材３２）の中空部分をケーブル１５が挿通するようにして、ケーブル１５のコネクタ１５ａ側が、受信部１０からクライアント機器１に向かうように延出している。
【００３０】
第１連結部材３１は、受信部１０のケース体１２に回転可能に備えられている。また、第２連結部材３２は、ブラケット部４０に固定されている。
そして、第１連結部材３１を回転させることによって、第１連結部材３１と第２連結部材３２とが螺合する程度（ねじ込み度合い）が調整されて、第１連結部材３１と第２連結部材３２は、受信部１０とブラケット部４０とが接離する方向に移動し、互いの配置が切り替えられる。
【００３１】
例えば、図３（ａ）に示すように、第１連結部材３１に対して第２連結部材３２を深くねじ込み螺合させるように第１連結部材３１と第２連結部材３２を移動させ、第１連結部材３１と第２連結部材３２の配置を切り替えることによって、受信部１０とブラケット部４０が接近するように、連結部３０の長さが短く調整される。
一方、図４に示すように、第１連結部材３１に対して第２連結部材３２を浅くねじ込み螺合させるように第１連結部材３１と第２連結部材３２を移動させ、第１連結部材３１と第２連結部材３２の配置を切り替えることによって、受信部１０とブラケット部４０が離間するように、連結部３０の長さが長く調整される。
【００３２】
このように、前後方向の厚みが比較的薄い映像表示装置Ｔに対応させて、受信部１０とブラケット部４０が接近するように、連結部３０の長さを調整することによって、図３（ａ）、図５に示すように、受信部１０を映像表示装置Ｔの前面側に配置させ、ブラケット部４０を映像表示装置Ｔの後面側に配置させるように、受信部１０とブラケット部４０とで映像表示装置Ｔを挟み込むようにして無線信号受信機２００を映像表示装置Ｔの上面に掛け渡すように設置することができる。
また、前後方向の厚みが比較的厚い映像表示装置Ｔに対応させて、受信部１０とブラケット部４０が離間するように、連結部３０の長さを調整することによって、図４、図５に示すように、受信部１０を映像表示装置Ｔの前面側に配置させ、ブラケット部４０を映像表示装置Ｔの後面側に配置させるように、受信部１０とブラケット部４０とで映像表示装置Ｔを挟み込むようにして無線信号受信機２００を映像表示装置Ｔの上面に掛け渡すように設置することができる。
なお、連結部３０の長さは、例えば、１００ｍｍ〜２００ｍｍ程度の範囲に調整可能となっている。
【００３３】
このように、本発明に係る無線信号受信機２００は、第１連結部材３１と第２連結部材３２を移動させて、第１連結部材３１と第２連結部材３２の配置を切り替えることによって、受信部１０とブラケット部４０の間の距離に相当する連結部３０の長さを、映像表示装置Ｔの前後方向の厚みに応じて調整することができ、受信部１０とブラケット部４０とで映像表示装置Ｔを挟み込むようにして無線信号受信機２００を映像表示装置Ｔの上面に掛け渡すように設置することができる。
【００３４】
また、クライアント機器１を保持するブラケット部４０を映像表示装置Ｔの後面側に配置させるように、無線信号受信機２００を映像表示装置Ｔに設置することによって、クライアント機器１を映像表示装置Ｔで隠すようにすることができるので、映像表示装置Ｔの周辺をスッキリとしたレイアウトにすることができる。
また、クライアント機器１は、ブラケット部４０に着脱自在に保持されているので、クライアント機器１をブラケット部４０から取り外して、映像表示装置Ｔの近傍の任意の位置に設置することも可能である。
【００３５】
よって、映像表示装置Ｔの厚みに応じて、連結部３０の長さを調節することにより、無線信号受信機２００を様々な映像表示装置Ｔに容易に取り付けて設置することができるとともに、容易に取り外して他の映像表示装置Ｔに付け替えることができる。
従って、映像表示装置Ｔにおいて表示するために、映像出力装置において出力された映像に関する無線信号を、所望する映像表示装置Ｔに設置された無線信号受信機２００において受信し、その無線信号に応じた映像をその映像表示装置Ｔに表示させることができる。
【００３６】
なお、本発明は上記実施形態に限られるものではない。
無線信号受信機１００は、図６から図９に示すように、ＬＣＤ（Liquid Crystal Display）やＰＤＰ（Plasma Display Panel）などの映像表示装置において表示する映像に関する無線信号を受信する受信部１０と、受信部１０と対向する位置に配されるブラケット部２０，２０と、受信部１０とブラケット部２０とを接離可能に連結する連結部３０と、を備えている。
ブラケット部２０は、映像表示装置に設置される無線信号受信機１００を、映像表示装置の後面側で支える部材であり、受信部１０の後面側に対向するように、連結部３０を介して備えられている。なお、ブラケット部２０は連結部３０とともに左右一対を成し、左右に並ぶように備えられている。
また、ブラケット部２０は、図８（ａ）、（ｂ）に示すように、クライアント機器１を保持するために、クライアント機器１の所定の係合溝２内に係入されて、クライアント機器１と係合する係合突起２１を有している。そして、図８（ａ）、（ｂ）に示すように、ブラケット部２０には、クライアント機器１が着脱自在に備えられるようになっている。
このようなブラケット部２０を備える無線信号受信機１００であっても、映像表示装置Ｔの厚みに応じて、連結部３０の長さを調節することにより、無線信号受信機１００を様々な映像表示装置Ｔに容易に取り付けて設置することができるとともに、容易に取り外して他の映像表示装置Ｔに付け替えることができる。
【００３７】
また、左右一対の連結部３０における、両方の連結部３０において、第１連結部材３１の雌ねじ部３１ａと、第２連結部材３２の雄ねじ部３２ａを形成することに限らない。
例えば、左右一対の連結部３０のうち、いずれか一方の連結部３０の第１連結部材３１に雌ねじ部３１ａを、第２連結部材３２に雄ねじ部３２ａを形成するようにし、他方の連結部３０の第１連結部材３１と第２連結部材３２は、第１連結部材３１の内周面に第２連結部材３２の外周面が滑らかに摺接するように形成してもよい。この場合、一方の連結部３０における第１連結部材３１の雌ねじ部３１ａと第２連結部材３２の雄ねじ部３２ａとが螺合する程度（ねじ込み度合い）を調整することに伴い、他方の連結部３０における第１連結部材３１と第２連結部材３２が摺接移動し、その長さが調整されるようになる。
【００３８】
また、左右一対の連結部３０における、両方の連結部３０において、第１連結部材３１の内周面に第２連結部材３２の外周面が滑らかに摺接するように形成してもよい。この場合、連結部３０の長さを調整した後、第１連結部材３１と第２連結部材３２の配置がずれないようにするストッパを備えることが好ましい。
【００３９】
なお、以上の実施の形態においては、連結部３０における第１連結部材３１に雌ねじ部３１ａを形成し、第２連結部材３２に雄ねじ部３２ａを形成する場合を例に挙げて説明したが、本発明はこれに限定されるものではなく、連結部３０における、第２連結部材３２の内周面に第１連結部材３１の外周面が摺接するようにし、第２連結部材３２に雌ねじ部を形成し、第１連結部材３１に雄ねじ部を形成するようにしてもよい。
【００４０】
また、以上の実施の形態においては、映像表示装置をＬＣＤやＰＤＰとしたが、本発明はこれに限定されるものではなく、その他のディスプレイ、映像表示装置であってもよい。
また、映像出力装置はＤＶＤプレーヤに限らず、ＶＣＲ（Video Cassette Recorder）など、その他のプレーヤ／レコーダなどの映像出力装置であってもよい。
【００４１】
また、ＤＶＤプレーヤ側から無線信号を発信する信号発信機は、ＤＶＤプレーヤに一体的に設けられていても、ＤＶＤプレーヤに外付けで取り付けられていてもよい。
【００４２】
また、その他、具体的な細部構造等についても適宜に変更可能であることは勿論である。
【図面の簡単な説明】
【００４３】
【図１】本発明に係る無線信号受信機を示す斜視図である。
【図２】本発明に係る無線信号受信機を示す上面図である。
【図３】本発明に係る無線信号受信機を示す一部断面側面図（ａ）と、無線信号受信機からクライアント機器を取り外した状態を示す側面図（ｂ）である。
【図４】本発明に係る無線信号受信機を示す一部断面側面図である。
【図５】無線信号受信機を映像表示装置に設置した状態を示す正面図である。
【図６】本発明に係る無線信号受信機の変形例を示す斜視図である。
【図７】本発明に係る無線信号受信機の変形例を示す上面図である。
【図８】本発明に係る無線信号受信機の変形例を示す一部断面側面図（ａ）と、無線信号受信機からクライアント機器を取り外した状態を示す側面図（ｂ）である。
【図９】本発明に係る無線信号受信機の変形例を示す一部断面側面図である。
【符号の説明】
【００４４】
１      クライアント機器
２      係合溝
１０    受信部
１１    窓部
１２    ケース体
１３    基板
１４    受光素子
１５    ケーブル
１５ａ  コネクタ
２０    ブラケット部
２１    係合突起
３０    連結部
３１    第１連結部材
３１ａ  雌ねじ部
３２    第２連結部
３２ａ  雄ねじ部
４０    ブラケット部
１００、２００  無線信号受信機
Ｔ      映像表示装置
【図１】
2007129611.tif 000003
【図２】
2007129611.tif 000004
【図３】
2007129611.tif 000005
【図４】
2007129611.tif 000006
【図５】
2007129611.tif 000007
【図６】
2007129611.tif 000008
【図７】
2007129611.tif 000009
【図８】
2007129611.tif 000010
【図９】
2007129611.tif 000011